(57)【要約】【課題】ナットの紛失を確実に防止できることに加えて、組み付けコスト、製造コスト、部品コストを低く抑えることができるとともに、破損、故障等が生じにくく、ナットの締付弛緩作業性、耐久性を向上させることのできる携帯型動力作業機における締付用ナットの落ち止め構造を提供する。【解決手段】ナット係留部材５０は、弾性変形可能な１本の線材ないし棒材から曲成され、ナット４０の外周に設けられた環状溝４４に外嵌保持される切欠リング状部５２と、該切欠リング状部５２の両端に連設された左右一対の脚状片部５３と、該脚状片部５３の下部に連設されたフック片部５５とからなり、カバー２０に、ボルト３０からナット４０が外された際にナット４０及びナット係留部材５０がカバー２０から脱落しないようにするための、フック片部５５を係止する係止部２５が設けられている。【選択図】図４
2015055288.tif 000002
【特許請求の範囲】
【請求項１】
機体部と、該機体部の所定部位を覆うように取り付けられるカバーと、前記機体部とカバーとの間に挟持されるガイドバーと、該ガイドバーに設けられた長穴ないし長溝及び前記カバーに設けられた挿通穴に通される、前記機体部に植え込み固定されたボルトと、前記機体部とカバーとの間に前記ガイドバーを挟圧保持すべく前記ボルトに螺合せしめられる締付用ナットと、を備えた携帯型動力作業機における締付用ナットの落ち止め構造であって、
１本の線状体、棒状体、もしくは板状体からなる弾性変形可能なナット係留部材を有し、該ナット係留部材は、前記ナットとの相対回転は許容するが前記ナットから抜け落ちないように前記ナットの外周に外嵌保持される切欠リング状部と、該切欠リング状部の両端に連設された左右一対の立ち下がり脚状片部と、該脚状片部の下部に連設されたフック片部とからなり、前記カバーに、前記ボルトから前記ナットが取り外された際に前記ナット及びナット係留部材が前記カバーから脱落しないようにするための、前記フック片部を係止する係止部が設けられていることを特徴とする締付用ナットの落ち止め構造。
【請求項２】
前記ナット係留部材は、側面視Ｌ字状を呈していることを特徴とする請求項１に記載の締付用ナットの落ち止め構造。
【請求項３】
前記カバーの係止部は、前記フック片部を係止するだけでなく、前記ナット係留部材の回り止めとしても機能するようにされていることを特徴とする請求項１又は２に記載の締付用ナットの落ち止め構造。
【請求項４】
前記フック片部は、Ｌ字状ないしレ字状を呈していることを特徴とする請求項１から３のいずれかに記載の締付用ナットの落ち止め構造。
【請求項５】
前記カバーにおける係止部の外面は、曲面状ないし左右に傾斜面を持つ山形状を呈する案内面となっていることを特徴とする請求項１から４のいずれかに記載の締付用ナットの落ち止め構造。
【請求項６】
前記カバーにおける前記係止部の左右には、前記左右一対のフック片部付き脚状片部がハ字状に拡開した状態でもそれを挿通し得るとともに、前記脚状片部の前後方向の動きを規制する挿通案内孔が形成されていることを特徴とする請求項１から５のいずれかに記載の締付用ナットの落ち止め構造。
【請求項７】
前記左右一対の脚状片部は、前記カバーの係止部の左右側面に弾発的に圧接するようにされていることを特徴とする請求項１から６のいずれかに記載の締付用ナットの落ち止め構造。
【請求項８】
前記カバーの係止部は、前記ナット係留部材と協同して、前記ナットの回転軸線が前記ボルトの中心線に対して傾くのを抑制するように構成されていることを特徴とする請求項１から７のいずれかに記載の締付用ナットの落ち止め構造。
【請求項９】
弾性変形可能な１本の線材、棒材、もしくは板材から曲成され、平面視Ｃ字状の切欠リング状部と、該切欠リング状部の両端から該切欠リング状部と同一平面上の外方に向けて突出する横辺部及び該横辺部から垂直に立ち下がる縦辺部からなる側面視逆Ｌ字状を呈する左右一対の立ち下がり脚状片部と、該脚状片部の下部に連設されたＬ字状ないしレ字状を呈するフック片部とを持つ締付用ナット係留部材。
【発明の詳細な説明】
【技術分野】
【０００１】
本発明は、携帯型動力作業機における締付用ナットの落ち止め構造に係り、例えば、動力源であるエンジンあるいは電動モータ及び動力伝達機構等を内蔵する機体部とカバーとの間にソーチェーンが掛け回されるガイドバーを挟圧保持すべく、機体部に植え込まれたボルトに螺合せしめられる締付用ナットを備えた携帯型動力作業機における締付用ナットの落ち止め構造及び締付用ナット係留部材に関する。
【背景技術】
【０００２】
例えば、携帯型動力作業機の一つであるチェーンソーは、通常、動力源であるエンジンあるいは電動モータ及び動力伝達機構等を内蔵する機体部と、この機体部の所定部位（駆動用スプロケットを有する動力伝達機構部分等）を覆うように取り付けられるカバーと、機体部とカバーとの間に挟持される、ソーチェーンが掛け回されるガイドバーと、このガイドバーに設けられた長穴ないし長溝及びカバーに設けられた挿通穴に通される、機体部に植え込み固定されたボルトと、機体部とカバーとの間にガイドバーを挟圧保持すべく前記ボルトに螺合せしめられる締付用ナットと、を備えている。
【０００３】
かかるチェーンソーを使用すると、ソーチェーンが熱で延びて緩みが生じることがあるため、ソーチェーンを時々張り直すことが必要である。また、ソーチェーンやガイドバーの交換時にも、ソーチェーンを駆動用スプロケット及びガイドバーに掛け回した後、該ソーチェーンの張り具合を調節することが要求される。
【０００４】
ソーチェーンの張り具合の調節、ガイドバーの交換、摺動部分の保守点検等を行うには、機体部からカバーを取り外す必要があり、この際には、ナットを弛めてボルトから外すことが要求される。
【０００５】
ボルトから外されたナットは、機体部やカバーからは分離された状態にあり、特に山林での伐木作業時等には、ナットを紛失してしまうことがしばしばある。ナットを紛失すると、カバーを機体部に取り付けることができず、機体部とカバーとの間にガイドバーを挟圧保持できなくなる。
そこで、従来、特許文献１、２に見られるように、締付用ナットの落ち止め構造が提案されている。
【０００６】
特許文献１に所載の締付用ナットの落ち止め構造は、ナットをカバーに係留するためのナット係留部材を備え、ナット係留部材は、ナットの下部外周にカシメにより外嵌保持される円環状部と、この円環状部から立ち下がる３本の立ち下がり脚状片部と、この脚状片部の下端部に設けられた二股状掛止爪部とを備える。また、カバーには、ボルトからナットが外された際にナット及びナット係留部材がカバーから脱落しないようにするための、前記二股状掛止爪部を係止する係止孔が設けられている。
【０００７】
一方、特許文献２に所載の締付用ナットの落ち止め構造は、ナットをカバーに係留するためのナット係留部材を備え、ナット係留部材は、各部が同一平面上に位置する弾性変形可能なシート状ないし薄板状とされ、ナットの下部外周に設けられた円環状溝部に外嵌される円環状ないし切欠円環状の外嵌部と、この外嵌部に連設されたＵ字状脚部と、このＵ字状脚部に連設された、カバーにねじ止めされる基端部とを備える。
【先行技術文献】
【特許文献】
【０００８】
【特許文献１】特表２０１１−５００３３８号公報
【特許文献２】米国特許公開２０１０−２３２９０４号公報
【発明の概要】
【発明が解決しようとする課題】
【０００９】
特許文献１に所載の締付用ナットの落ち止め構造では、ナット係留部材をナットの下部外周に外嵌保持させるためにカシメ加工が必要であり、また、二股状掛止爪部が金型成形時におけるアンダーカット部分となるので、組み付けコスト、製造コスト、部品コストが高くなる傾向があり、さらに、掛止二股状掛止爪部（の突起状爪部分）が破損しやすいという問題もある。
【００１０】
加えて、カバーに設けられた係止孔にナット係留部材の二股状掛止爪部を通してナットを係留させた状態では、その構造上、係止孔と脚状片部との間には必然的に隙間が形成されるので、ナット及びナット係留部材がボルトの中心線に対して傾きやすくなり、ナットの締付弛緩作業を迅速には行い難いという問題もある。
【００１１】
また、特許文献２に所載の締付用ナットの落ち止め構造では、ナット係留部材の各部の形状保持性が低いので、ナットの締付弛緩作業時に、連れ回り、巻き込み、垂れ下がり、傾き等が発生しやすく、作業性、耐久性が悪くなる傾向がある。
【００１２】
本発明は、かかる事情に鑑みてなされたもので、その目的とするところは、ナットの紛失を確実に防止できることに加えて、組み付けコスト、製造コスト、部品コストを低く抑えることができるとともに、破損、故障等が生じにくく、ナットの締付弛緩作業性、耐久性を向上させることのできる携帯型動力作業機における締付用ナットの落ち止め構造及び締付用ナット係留部材を提供することにある。
【課題を解決するための手段】
【００１３】
前記目的を達成すべく、本発明に係る締付用ナットの落ち止め構造は、機体部と、該機体部の所定部位を覆うように取り付けられるカバーと、前記機体部とカバーとの間に挟持されるガイドバーと、該ガイドバーに設けられた長穴ないし長溝及び前記カバーに設けられた挿通穴に通される、前記機体部に植え込み固定されたボルトと、前記機体部とカバーとの間に前記ガイドバーを挟圧保持すべく前記ボルトに螺合せしめられる締付用ナットと、を備えた携帯型動力作業機に適用されるもので、基本的には、１本の線状体、棒状体、もしくは板状体からなる弾性変形可能なナット係留部材を有し、該ナット係留部材は、前記ナットとの相対回転は許容するが前記ナットから抜け落ちないように前記ナットの外周に外嵌保持される切欠リング状部と、該切欠リング状部の両端に連設された左右一対の立ち下がり脚状片部と、該脚状片部の下部に連設されたフック片部とからなり、前記カバーに、前記ボルトから前記ナットが取り外された際に前記ナット及びナット係留部材が前記カバーから脱落しないようにするための、前記フック片部を係止する係止部が設けられていることを特徴としている。
【００１４】
前記ナット係留部材は、好ましくは、側面視Ｌ字状を呈する。
前記カバーの係止部は、好ましくは、前記フック片部を係止するだけでなく、前記ナット係留部材の回り止めとしても機能するようにされる。
前記フック片部は、好ましくは、Ｌ字状ないしレ字状を呈する。
【００１５】
前記カバーにおける係止部の外面は、好ましくは、曲面状ないし左右に傾斜面を持つ山形状を呈する案内面とされる。
前記カバーにおける前記係止部の左右には、好ましくは、前記左右一対のフック片部付き脚状片部がハ字状に拡開した状態でもそれを挿通し得るとともに、前記脚状片部の前後方向の動きを規制する挿通案内孔が形成される。
【００１６】
前記左右一対の脚状片部は、好ましくは、前記カバーの係止部の左右側面に弾発的に圧接するようにされる。
前記カバーの係止部は、好ましくは、前記ナット係留部材と協同して、前記ナットの回転軸線が前記ボルトの中心線に対して傾くのを抑制するように構成される。
【００１７】
一方、本発明に係る締付用ナット係留部材は、弾性変形可能な１本の線材、棒材、もしくは板材から曲成され、平面視Ｃ字状の切欠リング状部と、該切欠リング状部の両端から該切欠リング状部と同一平面上の外方に向けて突出する横辺部及び該横辺部から垂直に立ち下がる縦辺部からなる側面視逆Ｌ字状を呈する左右一対の立ち下がり脚状片部と、該脚状片部の下部に連設されたＬ字状ないしレ字状を呈するフック片部とを持つことを特徴としている。
【発明の効果】
【００１８】
本発明に係る締付用ナットの落ち止め構造では、ナットの紛失を確実に防止できることに加えて、ナット係留部材が１本の線状体、棒状体、もしくは板状体からなる弾性変形可能なものとされ、その弾性変形を利用してナットへの組み付け、及び、カバーへの組み付けを行うようにされるので、組み付けコスト、製造コスト、部品コストを低く抑えることができるとともに、破損、故障等を生じにくくでき、また、ナット及びナット係留部材のボルトの中心線に対する傾きを抑制することができるので、ナットの締付弛緩作業を容易かつ迅速に行うことができ、さらに、ナット係留部材の形状保持性を高くすることができるので、ナットの締付弛緩作業時における連れ回り、巻き込み、垂れ下がり、傾き等を生じにくくでき、その結果、作業性、耐久性等を向上させることができる。
【図面の簡単な説明】
【００１９】
【図１】本発明に係る携帯型動力作業機における締付用ナットの落ち止め構造の一実施例が適用されたチェーンソーの主要部を示す部分側面図。
【図２】図１に示されるチェーンソーの主要部の説明に供される図であり、（Ａ）は右側面斜視図、（Ｂ）はカバーの裏面側を部分的に示す斜視図。
【図３】（Ａ）はナット係留部材、（Ｂ）はナットにナット係留部材を組み付けた状態を示す斜視図。
【図４】（Ａ）は図１のＸ−Ｘ矢視線に従う断面図、（Ｂ）は（Ａ）の状態からナットを弛めた状態の説明に供される図。
【図５】カバーへのナット係留部材の組み付けの説明に供される、図１のＹ−Ｙ矢視線に従う断面図であり、（Ａ）は、ナット係留部材のフック片部を係止部の外面に押し当てナット４０及びナット係留部材を機体部側に押圧した状態、（Ｂ）は、（Ａ）の状態から左右一対のフック片部付き脚状片部がそれ自体の弾性復元力により元の平行状態に戻った状態を示す図。
【発明を実施するための形態】
【００２０】
以下、本発明の実施の形態を図面を参照しながら説明する。
図１は、本発明に係る携帯型動力作業機における締付用ナットの落ち止め構造の一実施例が適用されたチェーンソーの主要部を示す部分側面図、図２は、図１に示されるチェーンソーの主要部の説明に供される図であり、（Ａ）は右側面斜視図、（Ｂ）はカバーの裏面側を部分的に示す斜視図である。
【００２１】
図示例のチェーンソーは、動力源であるエンジンあるいは電動モータ及び動力伝達機構等を内蔵する機体部１２（図４に右側部の一部のみが示されている）と、この機体部１２の所定部位（駆動用スプロケットを有する動力伝達機構部分等）を覆うように取り付けられるカバー（スプロケットガード等）２０と、機体部１２とカバー２０との間に挟持される、ソーチェーン１６が掛け回されるガイドバー１５と、このガイドバー１５に設けられた長穴１７（図４（Ａ）参照）及びカバー２０に設けられた二つのボルト挿通穴２８に通される、機体部１２の右側部の前後に所定間隔をあけて植え込み固定された２本のボルト３０と、機体部１２（の右側部）とカバー２０との間にガイドバー１５を挟圧保持すべくボルト３０に螺合せしめられる２個の締付用ナット４０と、ソーチェーンの張り具合を調節するための調節用ねじ１８を備えている。
【００２２】
ボルト３０は、図４（Ａ）に示される如くに、機体部１２に圧入等で植え込まれて固定されており、下から順に、矩形鍔状部３２、大径部３３、中径部３４、雄ねじ部３５を有し、大径部３３−中径部３４−雄ねじ部３５間及び最先端部は円錐台状部で形成されている。
【００２３】
締付用ナット４０は、図３（Ｂ）に示される如くに、座金（大径鍔状部）４２及び小径鍔状部４３付きの六角ナットで、内周部に前記ボルト３０の雄ねじ部３５に螺合する雌ねじ部４５が形成され、外周部における座金（大径鍔状部）４２と小径鍔状部４３との間には、半径方向内方に凹む環状溝４４が形成されている。また、ナット４０の内周側上下端部は、円錐状開口面４６、４７となっている（図４（Ａ）参照）。
【００２４】
本実施例では、２本のボルト３０が機体部１２の右側部に、前後に所定間隔をあけて植え込み固定されており、それぞれに締付用ナット４０が螺合せしめられるようにされているので、本発明の「締付用ナットの落ち止め構造」は、当該チェーンソーに２カ所適用されている。
【００２５】
以下においては、図１において左側（機体部１２の後方側）に位置するボルト３０に螺合せしめられる締付用ナット４０の落ち止め構造を説明し、右側（機体部１２の前方側）のものについての重複説明を省略する。
【００２６】
上記構成に加え、本実施例においては、締付用ナット４０をカバー２０に係留するための、側面視Ｌ字状を呈するナット係留部材５０を備える。ナット係留部材５０は、図３（Ａ）に示される如くに、ステンレス材等からなる弾性変形可能な１本の金属線材ないし棒材から曲成されたもので、平面視Ｃ字状の切欠リング状部５２と、この切欠リング状部５２の両端から該切欠リング状部５２と同一平面上の外方に向けて突出する横辺部５３ａ及び該横辺部５３ａから垂直に立ち下がる縦辺部５３ｂからなる側面視逆Ｌ字状を呈する左右一対の立ち下がり脚状片部５３と、該脚状片部５３の下部に連設されたレ字状を呈するフック片部５５とを有する。左右一対の脚状片部５３の縦辺部５３ｂは相互に平行である。なお、レ字状を呈する本実施例のフック片部５５は、Ｌ字状を呈するフック片部よりもその掛止端が上側に、例えば１０度程度折り上げられている。
【００２７】
ナット係留部材５０の切欠リング状部５２は、ナット４０との相対回転は許容するがナット４０から抜け落ちないようにナット４０の外周に設けられた環状溝４４に外嵌保持され（組み付けられ）ている。ナット４０へのナット係留部材５０の組み付けは、例えば、左右一対の脚状片部５３間を押し広げるようにして切欠リング状部５２を弾性変形（拡開）させて、ナット４０の上から六角部分及び小径鍔状部４３を乗り越えさせ、拡開状態を解くことによって環状溝４４に落とし込むように装着することによりなされる。
【００２８】
一方、カバー２０には、ボルト３０からナット４０を取り外した際に、ナット４０及びナット係留部材５０がカバー２０から脱落しないようにするための、前記フック片部５５を係止する係止部２５が設けられている。図１における左側の締付用ナットの落ち止め構造における係止部２５と図１における右側の締付用ナットの落ち止め構造における係止部２５とは、鏡面対称的に設けられ、それらは凹状部２９で繋がれている。
【００２９】
前記係止部２５は、図５（Ａ）を参照すればよくわかるように、緩い円筒面状を呈する外面（上面）２５ａ及び内面（下面）２５ｂ並びにボルト３０の中心線Ｏと平行な左右の矩形状の側面２５ｃ、２５ｃを有し、係止部２５の左右方向の幅（側面２５ｃ-２５ｃ間距離）は、左右一対の脚状片部５３の縦辺部５３ｂ間の離隔距離より若干長くされている。
【００３０】
また、カバー２０における係止部２５の左右には、左右一対の脚状片部５３（の縦辺部５３ｂ）がハ字状に拡開した状態（図５（Ａ）の一点鎖線）でもそれを挿通し得るとともに、脚状片部５３の前後方向の動きを規制する挿通案内孔２４が形成されている（図１、図２（Ａ）、（Ｂ）も参照）。
【００３１】
ナット４０をナット係留部材５０でカバー２０に係留させる（ナット係留部材５０のカバー２０への組み付け）にあたっては、図５（Ａ）に実線で示される如くに、ナット４０の環状溝４４にナット係留部材５０（の切欠リング状部５２）を装着した状態で、ナット係留部材５０のフック片部５５を係止部２５の外面２５ａに押し当て、この状態でナット４０及びナット係留部材５０を機体部１２側に押圧する。
【００３２】
押圧すると、図５（Ａ）において一点鎖線で示される如くに、左右一対のフック片部５５付き脚状片部５３が係止部２５の外面（円筒状案内面）２５ａに案内されてハ字状に拡開し、フック片部５５が係止部２５の左右側面２５ｃ、２５ｃに摺接しながらそれを乗り越え、乗り越えると、図５（Ｂ）に示される如くに、左右一対のフック片部５５付き脚状片部５３（の縦辺部５３ｂ）はそれ自体の弾性復元力により元の平行状態に戻り、これにより、フック片部５５（の掛止端）は係止部２５の下側に位置するとともに、左右一対の脚状片部５３の縦辺部５３ｂは、カバー２０の係止部２５の左右側面２５ｃ、２５ｃ全体に密着するように弾発的に圧接する。これによって、ナット係留部材５０がカバー２０から抜け落ちないように係止部２５に係止され、ナット４０はナット係留部材５０でカバー２０に係留された状態となる。なお、図５（Ｂ）において２点鎖線で示されているのは、ナット係留部材５０が最も押し下げられたとき（ナット４０の締付状態）のフック片部５５の位置である。
【００３３】
次に、機体部１２へのカバー２０の取り付け、ナット４０の締付弛緩作業について説明する。機体部１２にカバー２０を取り付ける際には、上記のようにしてナット係留部材５０でカバー２０に係留されているナット４０の雌ねじ部４５の下端をボルト３０の雄ねじ部３５の上端に押し当ててナット４０を締付方向（例えば時計回り）に回す。これにより、ナット４０の雌ねじ部４５がボルト３０の雄ねじ部３５に螺合し、ナット４０はねじ送りにより回転しながら下降し、やがてナット４０の下端面がカバー２０の押圧面２３に接当する。この状態から、さらにナット４０を回してきつく締付けると、機体部１２とカバー２０との間にガイドバー１５が挟圧保持される（図４（Ａ）に示される状態）。なお、このナット４０の締付作業時には、ナット４０と共にナット係留部材５０がその脚状片部５３（の縦辺部５３ｂ）を係止部２５の左右両側面２５ｃ、２５ｃ並びに挿通案内孔２４内壁面に摺接させながら下降せしめられる。
【００３４】
一方、機体部１２からカバー２０を取り外す際には、図４（Ａ）に示される締付状態から、ナット４０を弛緩方向（例えば反時計回り）に回す。これにより、ナット４０はねじ送りにより回転しながら上昇する。この弛緩作業途中の状態が図４（Ｂ）に示されている。図４（Ｂ）に示される状態からナット４０を弛緩方向にさらに何回転かさせると、ボルト３０の雄ねじ部３５とナット４０の雌ねじ部４５との螺合が解かれ、ナット４０をボルト３０から外すことができ、同様にして他方（右側）のボルト３０とナット４０の螺合を解けば、カバー２０を機体部１２から取り外すことができる。
【００３５】
この場合、本実施例の締付用ナットの落ち止め構造では、左右一対の脚状片部５３の縦辺部５３ｂがカバー２０の係止部２５の左右側面２５ｃ、２５ｃ全体に密着するように弾発的に圧接しているので、ナット係留部材５０の回転方向の動き並びに左右方向の動き（ボルト３０の中心線Ｏに対する傾き）が規制される。これにより、ナット４０の締付弛緩作業時に、ナット係留部材５０がナット４０に連れ回されることはなくなるとともに、ナット４０の回転軸線がボルト３０の中心線Ｏに対して左右方向に傾くことが抑制される。すなわち、カバーの係止部２５は、ナット係留部材５０の抜け止めだけでなく、ナット係留部材５０の回り止めの役目を果たすとともに、ナット係留部材５０と協同して、ナット４０の傾き抑制の役目も果たす。
【００３６】
さらに、挿通案内孔２４によって脚状片部５３の前後方向の動きも規制するようにされているので、ナット４０及びナット係留部材５０のボルト３０の中心線Ｏに対する傾きを抑制することができ、そのため、ナット４０の締付弛緩作業時にナット４０及びナット係留部材５０がぐらつかず、加えて、ナット係留部材５０が側面視Ｌ字状を呈するようにされていることから、カバー２０を機体部１２に取り付けるべく、ナット４０の雌ねじ部４５をボルト３０の雄ねじ部３５に螺合させる際、ナット４０の回転軸線を容易にボルト３０の中心線Ｏに一致させることができ、これにより、いわゆるナットの斜めがかりが防止され、カバー２０取り付け時の螺合初期だけでなく、ナット４０の締付弛緩作業を容易かつ迅速に行うことができる。
【００３７】
上記のような構成の締付用ナットの落ち止め構造のもとでは、カバー２０を機体部１２から取り外した状態においても、ナット４０はナット係留部材５０でカバー２０に係留されているので、紛失することはない。
【００３８】
以上のように、本実施例の締付用ナットの落ち止め構造では、ナット４０の紛失を確実に防止できることに加えて、ナット係留部材５０が弾性変形可能な１本の線材ないし棒材から曲成されたシンプルな構成とされ、その弾性変形を利用してナット４０への組み付け、及び、カバー２０への組み付けを行うようにされるので、組み付けコスト、製造コスト、部品コストを低く抑えることができるとともに、破損、故障等を生じにくくでき、また、ナット４０及びナット係留部材５０のボルト３０の中心線Ｏに対する傾きを抑制することができるので、ナット４０の締付弛緩作業を容易かつ迅速に行うことができ、さらに、ナット係留部材５０の形状保持性を高くすることができるので、ナットの締付弛緩作業時における連れ回り、巻き込み、垂れ下がり、傾き等を生じにくくでき、その結果、作業性、耐久性等を向上させることができる。
【００３９】
なお、上記実施例では、ナット係留部材５０として、弾性変形可能な１本の金属線材ないし棒材から曲成されたものが用いられているが、それに限られることはなく、素材として合成樹脂材料を用いて金型成形により同形状のものを製造するようにしてもよい。
【００４０】
また、上記実施例では、ナット４０に環状溝４４を設け、ここにナット係留部材５０の切欠リング状部５２を装着するようにされているが、環状溝に代えて、ナットの外周から半径方向外方に突出する上下一対の、例えば６個ずつの突出片部を設け、この上下一対の突出片部間に切欠リング状部を装着するようにしてもよい。
【００４１】
また、上記実施例では、携帯型動力作業機としてチェーンソーを例にとって説明したが、これに限られる訳ではなく、刈払機用操作棹の先端にチェーンソー部が取り付けられたポールプルーナや電動カッター等の、機体部とカバーとの間にガイドバーが挟圧保持されるタイプの携帯型動力作業機であれば、本発明を適用できるものである。
【符号の説明】
【００４２】
１２  機体部
１５  ガイドバー
１６  ソーチェーン
２０  カバー
２３  押圧面
２４  挿通案内孔
２５  係止部
３０  ボルト
３５  雄ねじ部
４０  ナット
４４  環状溝
４５  雌ねじ部
５０  ナット係留部材
５２  切欠リング状部
５３  立ち下がり脚状片部
５３ａ  横辺部
５３ｂ  縦辺部
５５  フック片部
【図１】
2015055288.tif 000003
【図２】
2015055288.tif 000004
【図３】
2015055288.tif 000005
【図４】
2015055288.tif 000006
【図５】
2015055288.tif 000007